(57)【特許請求の範囲】
【請求項１】
少なくとも２枚の軟質樹脂シートが貼り合わされてなり、上端に開閉可能な開口部を備えた可撓性袋部材と、
前記可撓性袋部材の下端に設けられた排出ポートと、
指を挿入可能な挿入路が形成されるように、その中央部を弛ませて前記可撓性袋部材に設けられた一対の開閉操作部とを備えた医療用軟質容器であって、
前記一対の開閉操作部の少なくとも一方の上側及び下側の少なくとも一方の端部は、前記可撓性袋部材の外面にヒートシールにより固定されており、
前記少なくとも一方の端部をヒートシールにより固定する際の加熱領域は、前記少なくとも一方の端部の終端縁の全てを含み、且つ、前記加熱領域の外周縁と前記開閉操作部の両側の側端縁との交点において前記外周縁は前記開閉操作部の長手方向に対して傾斜していることを特徴とする医療用軟質容器。
【請求項２】
前記加熱領域は、略円弧と前記略円弧の両端を繋ぐ線分とを有し、前記略円弧が前記開閉操作部の前記側端縁と交差する請求項１に記載の医療用軟質容器。
【請求項３】
前記加熱領域は略台形形状を有し、前記略台形形状の斜辺が前記開閉操作部の前記側端縁と交差する請求項１に記載の医療用軟質容器。
【請求項４】
前記一対の開閉操作部は前記可撓性袋部材を構成する前記軟質樹脂シートと別個の部材として作成され、前記一対の開閉操作部のそれぞれの上側の端部及び下側の端部は前記可撓性袋部材の外面にヒートシールにより固定されている請求項１〜３のいずれかに記載の医療用軟質容器。
【請求項５】
前記一対の開閉操作部のそれぞれの上側の端部が、前記加熱領域で加熱されたヒートシールによって前記可撓性袋部材の外面に固定されている請求項１〜４のいずれかに記載の医療用軟質容器。
【請求項６】
前記一対の開閉操作部のぞれぞれは前記可撓性袋部材を構成する前記軟質樹脂シートと一体的に作成され、前記一対の開閉操作部のそれぞれの下側の端部は前記可撓性袋部材の外面にヒートシールにより固定されている請求項１〜３のいずれかに記載の医療用軟質容器。
【請求項７】
請求項１〜６のいずれかに記載の医療用軟質容器を備えた栄養供給システム。
【発明の詳細な説明】
【技術分野】
【０００１】
本発明は、医療用軟質容器及びこれを用いた栄養供給システムに関する。
【背景技術】
【０００２】
経口によらずに患者に栄養や薬剤を投与する方法として経腸栄養法又は静脈栄養法が知られている。経腸栄養法では、患者の鼻腔から胃又は十二指腸にまで通されたチューブを介して栄養剤、流動食、又は薬剤などの液状物が投与される。また、静脈栄養法では、患者の静脈に挿入された輸液回路を介してブドウ糖などの栄養成分及び／又は薬剤成分を含む液状物（一般に「輸液」と呼ばれる）が投与される。
【０００３】
経腸栄養法又は静脈栄養法を行う際には、患者に投与する液状物を空の医療用軟質容器に予め注入する作業が必要である。
【０００４】
図１７は、従来の医療用軟質容器９００の一例の概略構成を示した正面図であり、図１８は、図１７に示した医療用軟質容器９００を開封し、その上端の開口部９２２を片手で把持して開口部９２２を開口させた様子を示した図であり、図１９は、図１７に示した医療用軟質容器９００内に液状物を注いでいる様子を示した図である。
【０００５】
この医療用軟質容器９００は、液状物を収納する収容部９２１と、収容部９２１内に収納された液状物を取り出すための貫通孔が形成された排出ポート９３０とを備えている。収容部９２１は、柔軟な２枚のシートを重ね合わせて、それらの外周縁をヒートシール（熱接着）により相互に接合してなる袋状物である。排出ポート９３０は収容部９２１を構成する上記シートに比べて相対的に硬い樹脂材料からなる。
【０００６】
空の医療用軟質容器９００への液状物の注入は以下のようにして行われる。まず、ノッチ９２８を始点として、切り取り線９２９に沿って開口部９２２の上部を切り取って開封し、ジップ９２３の係合を解除する。次いで、図１８に示されるように、開口部９２２の外端縁を一方の手で把持しつつ、開口部９２２を開く。次いで、図１９に示されるように、他方の手（図示せず）で、薬や栄養剤等の液状物が入った容器９９８を持ち、開口部９２２から収容部９２１内に液状物を注入する。
【先行技術文献】
【特許文献】
【０００７】
【特許文献１】特開２００７−３１４２４５号公報
【発明の概要】
【発明が解決しようとする課題】
【０００８】
しかし、上記従来の医療用軟質容器９００への液状物の注入作業では、液状物の注入作業の開始から終了まで、開口部９２２の外端縁を片手で把持して、開口部９２２を開口させ且つ医療用軟質容器９００を保持しなければならない。液状物の注入量が増えるにしたがって医療用軟質容器９００の重量は徐々に増大する。一方、医療用軟質容器９００は、開口部９２２を含めて柔軟な材料からなるので、開口部９２２は大きな把持力を加えると簡単に変形してしまう。したがって、医療用軟質容器９００を落としてしまったり、開口部９２２を十分に開口させることができなくて液状物をこぼしてしまったりする恐れがある。このように、従来の医療用軟質容器９００への液状物の注入作業は、作業者にとって精神的及び肉体的な負担が大きい。
【０００９】
そこで、医療用軟質容器を、その開口部を開いた状態で安定して保持することができるような部材を、医療用軟質容器に設けることが望まれる。
【００１０】
但し、医療用軟質容器を構成するシートは一般に機械的強度が低いので、そのような部材を設けた場合、開口部の開閉操作や注入された液状物の重量によって応力集中が生じないことが望まれる。また、そのような部材を設けたことによって、医療用軟質容器の品位が低下することは避けなければならない。
【００１１】
本発明は、液状物の注入作業時に、開口部を大きく開口させた状態で安定して保持することができ、また、応力集中が生じにくい、高品位の医療用軟質容器を提供することを目的とする。また、本発明は、このような医療用軟質容器を備えた栄養供給システムを提供することを目的とする。
【課題を解決するための手段】
【００１２】
本発明の医療用軟質容器は、少なくとも２枚の軟質樹脂シートが貼り合わされてなり、上端に開閉可能な開口部を備えた可撓性袋部材と、前記可撓性袋部材の下端に設けられた排出ポートと、指を挿入可能な挿入路が形成されるように、その中央部を弛ませて前記可撓性袋部材に設けられた一対の開閉操作部とを備える。前記一対の開閉操作部の少なくとも一方の上側及び下側の少なくとも一方の端部は、前記可撓性袋部材の外面にヒートシールにより固定されている。前記少なくとも一方の端部をヒートシールにより固定する際の加熱領域は、前記少なくとも一方の端部の終端縁の全てを含み、且つ、前記加熱領域の外周縁と前記開閉操作部の両側の側端縁との交点において前記外周縁は前記開閉操作部の長手方向に対して傾斜している。
【００１３】
本発明の栄養供給システムは、上記の本発明の医療用軟質容器を備える。
【発明の効果】
【００１４】
本発明によれば、可撓性袋部材に設けられた一対の開閉操作部によって形成された挿入路に指を挿入することで、開口部を開口させた状態で医療用軟質容器を安定して保持することができる。
【００１５】
また、開閉操作部の端部をヒートシールによって固定する際の加熱領域が当該端部の終端縁の全てを含むので、終端縁が軟質樹脂シートに密着する。従って、開閉操作部を設けたことによって手触り感や見映えが低下することはなく、医療用軟質容器の品位の低下を防止することができる。
【００１６】
また、加熱領域の外周縁と開閉操作部の側端縁との交点において外周縁は開閉操作部の長手方向に対して傾斜している。従って、開閉操作部の中央部に、中央部を可撓性袋部材から引きはがすような外力が作用したときに、当該交点に大きな応力集中が発生するのを防止することができる。
【図面の簡単な説明】
【００１７】
【図１】図１は、本発明の実施形態１に係る医療用軟質容器の斜視図である。
【図２Ａ】図２Ａは、本発明の実施形態１に係る医療用軟質容器の正面図である。
【図２Ｂ】図２Ｂは、本発明の実施形態１に係る医療用軟質容器の右側面図である。
【図２Ｃ】図２Ｃは、本発明の実施形態１に係る医療用軟質容器の背面図である。
【図３】図３は、本発明の実施形態１に係る医療用軟質容器の分解斜視図である。
【図４】図４は、本発明の実施形態１に係る医療用軟質容器を含む経腸栄養供給システムの概略構成を示した図である。
【図５】図５は、本発明の実施形態１に係る医療用軟質容器を片手で保持し、その開口部を開口させた状態を示した斜視図である。
【図６】図６は、本発明の実施形態１に係る医療用軟質容器を片手で保持し、その開口部に液状物を注いでいる様子を示した斜視図である。
【図７】図７Ａは本発明の実施形態１において正面側の開閉操作部の上端部及びヒートシールによる加熱領域を示した、図２Ａの部分７Ａの拡大図、図７Ｂは本発明の実施形態１において裏面側の開閉操作部の上端部及び及びヒートシールによる加熱領域を示した、図２Ｃの部分７Ｂの拡大図である。
【図８】図８Ａは本発明の実施形態１において正面側の開閉操作部の下端部及びヒートシールによる加熱領域を示した、図２Ａの部分８Ａの拡大図、図８Ｂは本発明の実施形態１において裏面側の開閉操作部の上端部及び及びヒートシールによる加熱領域を示した、図２Ｃの部分８Ｂの拡大図である。
【図９】図９Ａは正面側の開閉操作部の上端部及びヒートシールによる比較例に係る加熱領域を示した拡大図、図９Ｂは正面側の開閉操作部の上端部及びヒートシールによる別の比較例に係る加熱領域を示した拡大図である。
【図１０】図１０Ａは本発明の実施形態２において正面側の開閉操作部の上端部及びヒートシールによる加熱領域を示した拡大図、図１０Ｂは本発明の実施形態２において正面側の開閉操作部の下端部及びヒートシールによる加熱領域を示した拡大図である。
【図１１】図１１は、本発明の実施形態３に係る医療用軟質容器の斜視図である。
【図１２Ａ】図１２Ａは、本発明の実施形態３に係る医療用軟質容器の正面図である。
【図１２Ｂ】図１２Ｂは、本発明の実施形態３に係る医療用軟質容器の右側面図である。
【図１３】図１３は、本発明の実施形態３において正面側の開閉操作部の上端部及びヒートシールによる加熱領域を示した拡大図である。
【図１４】図１４は、本発明の実施形態４に係る医療用軟質容器の斜視図である。
【図１５Ａ】図１５Ａは、本発明の実施形態４に係る医療用軟質容器の正面図である。
【図１５Ｂ】図１５Ｂは、本発明の実施形態４に係る医療用軟質容器の右側面図である。
【図１６】図１６は、本発明の実施形態４に係る医療用軟質容器の分解斜視図である。
【図１７】図１７は、従来の医療用軟質容器の一例の概略構成を示した正面図である。
【図１８】図１８は、図１７に示された医療用軟質容器の開口部を片手で把持し、開口部を開口させた様子を示した図である。
【図１９】図１９は、図１７に示された医療用軟質容器内に液状物を注いでいる様子を示した図である。
【発明を実施するための形態】
【００１８】
本発明では、可撓性袋部材に対してヒートシールによって固定された開閉操作部の端部のうちの少なくとも一つが、以下の２つの条件を満足する。
【００１９】
第１に、端部をヒートシールにより固定する際の加熱領域は、前記端部の終端縁の全てを含む（以下、「第１条件」という）。ここで、加熱領域が終端縁の全てを「含む」とは、終端縁の全てが加熱領域内に存在する（終端縁の一部が加熱領域の外周縁上に位置する場合を含む）ことを意味する。好ましくは、終端縁の全てが加熱領域の外周縁に接することなく、外周縁よりも内側に存在することを意味する。
【００２０】
第２に、加熱領域の外周縁と開閉操作部の両側の側端縁との交点において、前記外周縁は開閉操作部の長手方向に対して傾斜している（以下、「第２条件」という）。ここで、前記交点において前記外周縁が開閉操作部の長手方向に対して「傾斜している」とは、交点における外周縁の接線の方向が、開閉操作部の長手方向に対して平行でも垂直でもないことを意味する。開閉操作部の長手方向は、開閉操作部の可撓性袋部材に固定されている上下の端部を結ぶ方向を意味する。
【００２１】
本発明において、前記加熱領域は、略円弧と前記略円弧の両端を繋ぐ線分とを有し、前記略円弧が前記開閉操作部の前記側端縁と交差することが好ましい。これにより、開閉操作部の中央部に、中央部を可撓性袋部材から引きはがすような如何なる方向の外力が作用しても、加熱領域の外周縁と開閉操作部の側端縁との交点はもちろん、これ以外の箇所にも大きな応力集中が発生するのを防止することができる。
【００２２】
あるいは、前記加熱領域は略台形形状を有し、前記略台形形状の斜辺が前記開閉操作部の前記側端縁と交差してもよい。これにより、ヒートシールをする際に使用される金型の形状が簡単となるので、金型を容易に作成することができる。
【００２３】
前記一対の開閉操作部は前記可撓性袋部材を構成する前記軟質樹脂シートと別個の部材として作成されていてもよい。この場合、前記一対の開閉操作部のそれぞれの上側の端部及び下側の端部は前記可撓性袋部材の外面にヒートシールにより固定されていることが好ましい。
【００２４】
上記において、前記一対の開閉操作部のそれぞれの上側の端部が、上記第１条件及び第２条件を満足する加熱領域で加熱されたヒートシールによって前記可撓性袋部材の外面に固定されていることが好ましい。これにより、大きな力が作用することが多い上側の端部において大きな応力集中が発生するのを防止することができる。
【００２５】
あるいは、前記一対の開閉操作部のぞれぞれは前記可撓性袋部材を構成する前記軟質樹脂シートと一体的に作成されていてもよい。この場合、前記一対の開閉操作部のそれぞれの下側の端部は前記可撓性袋部材の外面にヒートシールにより固定されていることが好ましい。これにより、大きな力が作用することが多い開閉操作部の上側の端部が軟質樹脂シートと一体的に作成されるので、当該端部での開閉操作部と軟質樹脂シートとの接続強度が向上する。
【００２６】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の部材を備え得る。また、以下の各図中の寸法は、実際の寸法および寸法比率等を忠実に表したものではない。
【００２７】
（実施形態１）
図１は本発明の実施形態１に係る医療用軟質容器１の斜視図である。図２Ａは医療用軟質容器１の正面図、図２Ｂは医療用軟質容器１の右側面図、図２Ｃは医療用軟質容器１の背面図である。図３は医療用軟質容器１の分解斜視図である。本発明では、実際の使用状態に則して医療用軟質容器１の「上側」（図１の紙面の上側）及び「下側」（図１の紙面の下側）を定義する。また、医療用軟質容器１を正面側から（図２Ａ参照）又は背面側から（図２Ｃ参照）見たときの左右方向を、「幅方向」と呼ぶ。
【００２８】
図１、図２Ａ〜図２Ｃに示されているように、本実施形態の医療用軟質容器１は、平袋状の可撓性袋部材２０と、可撓性袋部材２０の下端に固定された排出ポート３０とを備える。
【００２９】
可撓性袋部材２０は、液状物を収容するための収容部２１と、収容部２１と連通する開口部２２とを備える。開口部２２には、開口部２２を幅方向に横切って、開口部２２を可逆的に開閉可能にするジップ２３（再開閉を自在とする係合部である。別名「チャックシール」とも言う。）が設けられている。可撓性袋部材２０は、その開口部２２よりも上方に吊り下げ部２６を備える。吊り下げ部２６には、医療用軟質容器１をスタンド等に吊り下げる際に使用される吊り下げ用穴２７が形成されている。
【００３０】
図２Ａ、図２Ｃに示されているように、吊り下げ用穴２７及び排出ポート３０を通る上下方向軸を医療用軟質容器１の中心軸１ａという。本実施形態では、中心軸１ａは、可撓性袋部材２０の後述する切り欠き２０ｃよりも下側の部分を幅方向に二等分する。
【００３１】
図３に示すように、可撓性袋部材２０は、例えば、２枚の軟質樹脂シート２０ａ，２０ｂを重ね、それらの外周縁を相互にヒートシール（熱接着）することにより形成される。図１、図２Ａ〜図２Ｃの参照符号２４は、２枚の軟質樹脂シート２０ａ，２０ｂのヒートシール領域を示す。
【００３２】
図３において、参照符号２３ａ，２３ｂは、ジップ２３を構成するジップテープである。ジップテープ２３ａ，２３ｂは、軟質樹脂シート２０ａ，２０ｂの互いに対向する面（内面）に、例えばヒートシール等の公知の方法で固定されている。
【００３３】
軟質樹脂シート２０ａの軟質樹脂シート２０ｂとは反対側の面には、可撓性袋部材２０内に注入された液状物の量を確認するための目盛り２５が設けられている。目盛り２５は中心軸１ａに沿って設けられている。上述した吊り下げ部２６は、軟質樹脂シート２０ｂに設けられている。以下の説明では、目盛り２５が設けられた軟質樹脂シート２０ａの外面（軟質樹脂シート２０ｂと対向しない面）を医療用軟質容器１の「正面」と呼び、軟質樹脂シート２０ｂの外面（軟質樹脂シート２０ａと対向しない面）を医療用軟質容器１の「裏面」と呼ぶ。
【００３４】
排出ポート３０は、その中央に貫通孔が形成された、例えば管状体である。排出ポート３０は、軟質樹脂シート２０ａ，２０ｂ間に挟まれて可撓性袋部材２０に固定されている。排出ポート３０の貫通孔は、可撓性袋部材２０の内外を連通させる。排出ポート３０は、例えば、軟質樹脂シート２０ａ，２０ｂ間に配置した状態で軟質樹脂シート２０ａ，２０ｂをヒートシール領域２４でヒートシールすることで、軟質樹脂シート２０ａ，２０ｂに一体化させることができる。
【００３５】
軟質樹脂シート２０ａ，２０ｂの、互いに相手方とは反対側の面（即ち、外面）には、開閉操作部４０ａ，４０ｂがそれぞれ固定されている。図２Ａ及び図２Ｃに示されているように、開閉操作部４０ａ，４０ｂは、中心軸１ａに沿って配置されている。開閉操作部４０ａ，４０ｂは、例えば軟質樹脂からなるシート状物からなる。開閉操作部４０ａ，４０ｂの上端部４２ａ，４２ｂ及び下端部４３ａ，４３ｂが、軟質樹脂シート２０ａ，２０ｂの外面にそれぞれヒートシールされる。このとき、上端部４２ａ，４２ｂ及び下端部４３ａ，４３ｂの間の中央部４１ａ，４１ｂが軟質樹脂シート２０ａ，２０ｂに対して弛むように、上端部４２ａ，４２ｂと下端部４３ａ，４３ｂとの間の上下方向間隔が適切に設定される。その結果、図１及び図２Ｂに示すように、開閉操作部４０ａ，４０ｂの中央部４１ａ，４１ｂと軟質樹脂シート２０ａ，２０ｂとの間に、指を挿入することができる挿入路４５ａ，４５ｂが形成される。
【００３６】
図２Ａ及び図２Ｃに示されているように、正面側又は裏面側から見たとき、医療用軟質容器１は、その中心軸１ａに対して左右非対称である。即ち、図２Ａに示すように医療用軟質容器１を正面側から見たとき、可撓性袋部材２０の上側部分の左側端が切り欠かれて切り欠き２０ｃが形成されている。また、開閉操作部４０ａ，４０ｂの幅方向（即ち、左右方向）の両側の側端縁４６ａ，４６ｂのうち切り欠き２０ｃに近い側の側端縁４６ａは中心軸１ａに対して傾斜しており、切り欠き２０ｃから遠い側の側端縁４６ｂは中心軸１ａとほぼ平行である。
【００３７】
本実施形態の医療用軟質容器１の使用方法を説明する。
【００３８】
図４に示されるように、医療用軟質容器１は、例えばその排出ポート３０に輸液セット９１を接続して栄養供給システム９０を構成することができる。輸液セット９１は、その一端が排出ポート３０に接続される可撓性チューブ９２と、可撓性チューブ９２上に設けられた点滴筒９３及び流量調整器９４と、可撓性チューブ９２の他端に設けられたコネクタ９５と、コネクタ９５に被せられたコネクタカバー９６等を含む。点滴筒９３は、輸液セット９１を流れる液状物の流量を可視化させる。流量調整器９４は、可撓性チューブ９２を押圧してその流路断面積を変化させて、輸液セット９１を流れる液状物の流量調整を可能にする。コネクタ９５は、患者の鼻腔又は静脈に挿入されたチューブ（図示せず）に接続される。但し、本発明の栄養供給システムは図４に示された構成に限定されるものではなく、例えば本実施形態の医療用軟質容器１に従来より公知の任意の輸液セットを組み合わせて栄養供給システムを構成してもよい。
【００３９】
最初に、流量調整器９４を操作して可撓性チューブ９２を押し潰して流路を閉じる。この状態で、図５に示すように、開閉操作部４０ａの挿入路４５ａに左手の親指を挿入し、開閉操作部４０ｂの挿入路４５ｂに左手の他の指（図５では人差し指）を挿入して医療用軟質容器１を左手で保持する。挿入路４５ａ，４５ｂに親指及び人差し指を挿入した状態で親指及び人差し指を接離すれば、開口部２２を自由に開閉することができる。
【００４０】
次に、図６に示すように、開口部２２を開口させた状態で医療用軟質容器１を左手で保持しながら、右手（図示せず）で保持したカップ９８内の液状物（例えば輸液）を開口部２２に注ぐ。
【００４１】
挿入路４５ａ，４５ｂに親指及び人差し指を挿入しているので、開口部２２を大きく開口させた状態で、医療用軟質容器１を安定して保持することができる。従って、医療用軟質容器１を落としてしまったり、開口部２２を十分に開口させることができなくて液状物をこぼしてしまったりする恐れが低減される。よって、医療用軟質容器１への液状物の注入作業での作業者の精神的及び肉体的な負担が軽減される。
【００４２】
また、図６に示すように、医療用軟質容器１の正面（目盛り２５が設けられた側の面）を作業者に向けて医療用軟質容器１を左手で保持すると、切り欠き２０ｃ（図２Ａ、図２Ｃを参照）内に左手の手のひらが嵌り込むので、小さな手の作業者であっても挿入路４５ａ，４５ｂに指を深く挿入することができる。
【００４３】
左手の手首関節を自然な角度にしたときに、図６のように医療用軟質容器１の正面が作業者に向くので、正面に付された目盛り２５を容易に視認することができる。また、目盛り２５は、左手などで隠れることもない。開閉操作部４０ａ，４０ｂ及び目盛り２５が中心軸１ａに沿って設けられているので（図２Ａ、図２Ｃを参照）、開閉操作部４０ａ，４０ｂで保持された医療用軟質容器１は、中心軸１ａが重力方向とほぼ平行になるように保持され、目盛り２５で注入量を正確に測量することができる。
【００４４】
液状物の注入後、ジップ２３を係合させて開口部２２を閉じる。
【００４５】
このようにして液状物が充填された医療用軟質容器１を、開口部２２よりも上方に配置された吊り下げ部２６の吊り下げ用穴２７を利用してスタンドなどに吊り下げる。医療用軟質容器１は、その中心軸１ａが重力方向とほぼ平行になり、且つ、排出ポート３０が最下位となるように吊り下げられる。コネクタ９５を患者に挿入されたチューブに接続し、流量調整器９４を開く。これにより、医療用軟質容器１内の液状物を患者に投与することができる。排出ポート３０が最下位に位置するので、医療用軟質容器１内の液状物は残らず流出する。
【００４６】
開閉操作部４０ａ，４０ｂの可撓性袋部材２０に対する取り付け位置は、開口部２２を開口させた状態で医療用軟質容器１を片手で保持することができれば特に制限はない。一般には、開口部２２の上端近傍に、左右方向に貫通する挿入路４５ａ，４５ｂが形成されるように、開閉操作部４０ａ，４０ｂを取り付けることが好ましい。開口部２２にジップ２３を備える場合には、挿入路４５ａ，４５ｂに指を入れた状態でジップ２３の開動作を行えるようにしてもよい。従って、本実施形態のように、開閉操作部４０ａ，４０ｂの上端部４２ａ，４２ｂ及び下端部４３ａ，４３ｂがジップ２３を上下に挟むように、開閉操作部４０ａ，４０ｂを開口部２２にに取り付けることが好ましい。
【００４７】
図７Ａは正面側の開閉操作部４０ａの上端部４２ａ及びヒートシールによる加熱領域５２ａを示した、図２Ａの部分７Ａの拡大図、図７Ｂは裏面側の開閉操作部４０ｂの上端部４２ｂ及びヒートシールによる加熱領域５２ｂを示した、図２Ｃの部分７Ｂの拡大図である。図７Ａ及び図７Ｂに示す実線で囲まれた加熱領域５２ａ，５２ｂは上端部４２ａ，４２ｂを軟質樹脂シート２０ａ，２０ｂにヒートシールにて融着する際の加熱領域である。ヒートシールは、一般に加熱した金型を被融着部材に押し当てることにより行われる。従って、加熱領域５２ａ，５２ｂは、ヒートシールをする際に押し当てられた金型によって形成された金型痕でもある。
【００４８】
開閉操作部４０ａ，４０ｂの上端部４２ａ，４２ｂは、加熱領域５２ａ，５２ｂとの重複領域にて軟質樹脂シート２０ａ，２０ｂに固定される。
【００４９】
加熱領域５２ａ，５２ｂの外形は、略円弧５２ａ１，５２ｂ１と、略円弧５２ａ１，５２ｂ１の両端を繋ぐ線分５２ａ２，５２ｂ２とを有する。略円弧５２ａ１，５２ｂ１は、線分５２ａ２，５２ｂ２よりも、開閉操作部４０ａ，４０ｂの中央部４１ａ，４１ｂ側に配置されている。
【００５０】
本実施形態では、加熱領域５２ａ，５２ｂは、開閉操作部４０ａ，４０ｂの中央部４１ａ，４１ｂとは反対側の終端縁４７ａ，４７ｂの全てを含む（第１条件）。また、加熱領域５２ａ，５２ｂの外周縁（本実施形態では略円弧５２ａ１，５２ｂ１）と開閉操作部４０ａ，４０ｂの幅方向の両側の側端縁４６ａ，４６ｂとの交点Ｐ１２ａ，Ｐ１２ｂにおいて、加熱領域５２ａ，５２ｂの外周縁（略円弧５２ａ１，５２ｂ１）は開閉操作部４０ａ，４０ｂの長手方向（本実施形態では中心軸１ａ方向）に対して傾斜している（第２条件）。
【００５１】
図８Ａは正面側の開閉操作部４０ａの下端部４３ａ及びヒートシールによる加熱領域５３ａを示した、図２Ａの部分８Ａの拡大図、図８Ｂは裏面側の開閉操作部４０ｂの下端部４３ｂ及びヒートシールによる加熱領域５３ｂを示した、図２Ｃの部分８Ｂの拡大図である。図８Ａ及び図８Ｂに示す実線で囲まれた加熱領域５３ａ，５３ｂは下端部４３ａ，４３ｂを軟質樹脂シート２０ａ，２０ｂにヒートシールにて融着する際の加熱領域であり、ヒートシールをする際に押し当てられた金型によって形成された金型痕でもある。
【００５２】
開閉操作部４０ａ，４０ｂの下端部４３ａ，４３ｂは、加熱領域５２ａ，５２ｂとの重複領域にて軟質樹脂シート２０ａ，２０ｂに固定される。
【００５３】
図７Ａ及び図７Ｂに示した加熱領域５２ａ，５２ｂと同様に、加熱領域５３ａ，５３ｂの外形は、略円弧５３ａ１，５３ｂ１と、略円弧５３ａ１，５３ｂ１の両端を繋ぐ線分５３ａ２，５３ｂ２とを有する。略円弧５３ａ１，５３ｂ１は、線分５３ａ２，５３ｂ２よりも、開閉操作部４０ａ，４０ｂの中央部４１ａ，４１ｂ側に配置されている。
【００５４】
本実施形態では、加熱領域５３ａ，５３ｂは、開閉操作部４０ａ，４０ｂの中央部４１ａ，４１ｂとは反対側の終端縁４８ａ，４８ｂの全てを含む（第１条件）。また、加熱領域５３ａ，５３ｂの外周縁（本実施形態では略円弧５３ａ１，５３ｂ１）と開閉操作部４０ａ，４０ｂの幅方向の両側の側端縁４６ａ，４６ｂとの交点Ｐ１３ａ，Ｐ１３ｂにおいて、加熱領域５２ａ，５２ｂの外周縁（略円弧５２ａ１，５２ｂ１）は開閉操作部４０ａ，４０ｂの長手方向（本実施形態では中心軸１ａ方向）に対して傾斜している（第２条件）。
【００５５】
開閉操作部４０ａ，４０ｂの上下の端部４２ａ，４２ｂ，４３ａ，４３ｂが、上記のような加熱領域５２ａ，５２ｂ，５３ａ，５３ｂによってヒートシールされていることの効果を以下に説明する。
【００５６】
比較のために、開閉操作部４０ａの上端部４２ａを本発明とは異なる加熱領域で軟質樹脂シート２０ａにヒートシールにより固定した例を図９Ａ及び図９Ｂに示す。
【００５７】
図９Ａに示す加熱領域１０２ａは、開閉操作部４０ａの上端部４２ａの終端縁４８ａ及び側端縁４６ａ，４６ｂよりも内側に配置された略矩形形状を有している。従って、この加熱領域１０２ａは、本実施形態の加熱領域と異なり、開閉操作部４０ａの中央部４１ａとは反対側の終端縁４８ａを含んでいない（即ち、第１条件を満足しない）。また、加熱領域１０２ａの外周縁は、開閉操作部４０ａの幅方向の両側の側端縁４６ａ，４６ｂと交差していない（即ち、第２条件を満足しない）。
【００５８】
一方、図９Ｂに示す加熱領域１１２ａは、開閉操作部４０ａの上端部４２ａよりはみ出した略矩形形状を有している。従って、この加熱領域１１２ａは、本実施形態の加熱領域と同様に、開閉操作部４０ａの中央部４１ａとは反対側の終端縁４８ａを含んでいる（第１条件）。しかしながら、本実施形態の加熱領域と異なり、加熱領域１１２ａの外周縁と開閉操作部４０ａの幅方向の両側の側端縁４６ａ，４６ｂとの交点Ｐ１２ａ，Ｐ１２ｂにおいて、加熱領域１１２ａの外周縁は開閉操作部４０ａの長手方向に対して垂直である（即ち、第２条件を満足しない）。
【００５９】
図９Ａに示した加熱領域１０２ａのように、加熱領域が開閉操作部４０ａの中央部４１ａとは反対側の終端縁４８ａを含んでいないと、開閉操作部４０ａの終端縁４８ａが軟質樹脂シート２０ａに密着せずに、軟質樹脂シート２０ａから浮き上がる。従って、終端縁４８ａが作業者の肌に引っ掛かるなどして医療用軟質容器の手触り感が低下したり、見映えが悪く安っぽさを感じさせたりして、品位を低下させるという問題がある。これに対して、本発明では、図７Ａに示すように、加熱領域５２ａは、開閉操作部４０ａの中央部４１ａとは反対側の終端縁４７ａの全てを含む（第１条件）。従って、終端縁４８ａは軟質樹脂シート２０ａに密着されるので、上記の問題を解消することができる。
【００６０】
また、加熱領域５２ａが開閉操作部４０ａの終端縁４７ａの全てを含む（第１条件）ことにより、開閉操作部４０ａの上端部４２ａが軟質樹脂シート２０ａにヒートシールされる領域である、加熱領域５２ａと上端部４２ａとの重複領域が大きくなる。従って、開閉操作部４０ａの軟質樹脂シート２０ａに対する必要な取り付け強度を容易に確保することができる。
【００６１】
一方、図９Ｂに示した加熱領域１１２ａのように、交点Ｐ１２ａ，Ｐ１２ｂにおいて、加熱領域の外周縁が開閉操作部４０ａの長手方向に対して傾斜していないと、以下の問題が生じる。即ち、図５及び図６に示したように開閉操作部４０ａの挿入路４５ａに指を挿入して開口部２２を開口させたり、挿入路４５ａに指を挿入した状態で医療用軟質容器１に液状物を注入したりすると、開閉操作部４０ａの中央部４１ａに、中央部４１ａを軟質樹脂シート２０ａから引きはがすような外力が作用する。この外力は、軟質樹脂シート２０ａに対して垂直方向から見たとき、多くの場合、開閉操作部４０ａの長手方向に対して斜め方向に作用する。図９Ｂのように、交点Ｐ１２ａ，Ｐ１２ｂにおいて加熱領域１１２ａの外周縁が開閉操作部４０ａの長手方向に対して垂直であると、上記の斜め方向の外力は交点Ｐ１２ａ，Ｐ１２ｂに局所的に作用し、交点Ｐ１２ａ，Ｐ１２ｂに応力が集中し、最悪の場合には交点Ｐ１２ａ，Ｐ１２ｂで軟質樹脂シート２０ａが破れてしまうという問題が生じる。これに対して、本発明では、図７Ａに示すように、交点Ｐ１２ａ，Ｐ１２ｂにおいて加熱領域５２ａの外周縁が開閉操作部４０ａの長手方向に対して傾斜している（第２条件）。従って、上記の斜め方向の外力は、交点Ｐ１２ａ，Ｐ１２ｂを含む加熱領域５２ａの外周縁上の領域Ａ１，Ａ２に分散して作用する。従って、図９Ｂのような大きな応力集中が生じることはなく、軟質樹脂シート２０ａが破れてしまうという事態を防止することができる。
【００６２】
上記では、図７Ａに示した開閉操作部４０ａの上端部４２ａに対する加熱領域５２ａの効果を例に説明したが、他の加熱領域５２ｂ，５３ａ，５３ｂについても同様である。
【００６３】
本実施形態では、開閉操作部４０ａ，４０ｂの上下の端部４２ａ，４２ｂ，４３ａ，４３ｂの全てが、第１条件及び第２条件を満足する加熱領域５２ａ，５２ｂ，５３ａ，５３ｂ（図７Ａ、図７Ｂ，図８Ａ，図８Ｂ参照）をともなうヒートシールによって可撓性袋部材２０に固定される。しかしながら、本発明はこれに限定されない。即ち、本発明では、ヒートシールによって固定される端部４２ａ，４２ｂ，４３ａ，４３ｂのうちの少なくとも一つが第１条件及び第２条件を満足する加熱領域をともなうヒートシールによって固定されればよい。好ましくは、上端部４２ａ及び／又は上端部４２ｂが第１条件及び第２条件を満足する加熱領域をともなうヒートシールによって固定される。上端部４２ａ，４２ｂは、医療用軟質容器１に注入された液状物の重量が作用しやすく、図９Ｂで説明した応力集中が発生しやすいからである。
【００６４】
本実施形態において、加熱領域５２ａ，５２ｂ，５３ａ，５３ｂを構成する略円弧５２ａ１，５２ｂ１，５３ａ１，５３ｂ１は、曲率が一定の厳密な意味での円弧である必要はない。開閉操作部４０ａ，４０ｂの中央部４１ａ，４１ｂ側に凸である曲線であればよく、その曲率は変化していてもよい。例えば、楕円の一部等であってもよい。
【００６５】
また、加熱領域５２ａ，５２ｂ，５３ａ，５３ｂを構成する線分５２ａ２，５２ｂ２，５３ａ２，５３ｂ２は、厳密な意味での直線である必要はなく、湾曲又は屈曲等した部分を含んでいてもよい。
【００６６】
可撓性袋部材２０を構成する軟質樹脂シート２０ａ，２０ｂ及び開閉操作部４０ａ，４０ｂの材料は、特に制限はないが、例えば医療用軟質容器に用いられる、従来より公知の軟質樹脂シートを使用できる。具体的には、例えば、塩化ビニル樹脂、ポリエチレン、エチレン−酢酸ビニル共重合体、ポリエステル、ポリブタジエン、ポリプロピレン、ポリアミド、エチレン−メタクリレート共重合体等からなる単層シート、又は上記単層シートが２層以上積層された積層シートが挙げられる。積層シートの具体的層構成としては、例えば、ナイロン／ポリエチレン、ナイロン／ポリプロピレン、ポリエチレンテレフタレート／ポリエチレン、ポリエチレンテレフタレート／ポリプロピレン、ポリプロピレン／ポリエチレン、ナイロン／ポリプロピレン／ポリエチレン等が挙げられる。あるいは、グレード（例えば成膜方法、機械的特性、または組成など）が異なる同種の樹脂を積層した積層シート（例えば、二軸延伸ポリプロピレン（ＯＰＰ）／無延伸ポリプロピレン（ＣＰＰ）等）であってもよい。軟質樹脂シート２０ａ，２０ｂ及び開閉操作部４０ａ，４０ｂの材料は、同じであってもよいし、異なっていてもよい。ヒートシールされる側の表面は、易ヒートシール性を有する材料（例えばポリプロピレン）で構成されることが好ましい。軟質樹脂シート２０ａ，２０ｂの厚さは、特に限定はないが、例えば０．１〜０．６ｍｍ程度である。軟質樹脂シート２０ａ，２０ｂは透光性（または半透明性）を有していると、収容部２１内の液状物を外から視認することができるので好ましい。より好ましくは、軟質樹脂シート２０ａ，２０ｂは透明である。
【００６７】
排出ポート３０の材料は、特に制限はないが、軟質樹脂シート２０ａ，２０ｂの材料よりも硬い材料が好ましい。具体的には、例えば、環状ポリオレフィン、ポリカーボネート、ポリエチレンテレフタレート、ポリプロピレン、ポリエチレンナフタレート等が挙げられる。
【００６８】
（実施形態２）
本実施形態２は、開閉操作部４０ａ，４０ｂの上下の端部４２ａ，４２ｂ，４３ａ，４３ｂの加熱領域の形状に関して、実施形態１と異なる。以下、実施形態１と異なる点を中心に本実施形態２を説明する。
【００６９】
図１０Ａは本実施形態２において正面側の開閉操作部４０ａの上端部４２ａ及びヒートシールによる加熱領域６２ａを示した拡大図、図１０Ｂは本実施形態２において正面側の開閉操作部４０ａの下端部４３ａ及びヒートシールによる加熱領域６３ａを示した拡大図である。開閉操作部４０ａの上端部４２ａ及び下端部４３ａは、加熱領域６２ａ，６３ａとの重複領域にて軟質樹脂シート２０ａに固定される。
【００７０】
図示を省略するが、裏面側の開閉操作部４０ｂの上端部４２ｂ及び下端部４３ｂに対する加熱領域は、加熱領域６２ａ，６３ａと面対称である。従って、以下の開閉操作部４０ａの上端部４２ａ及び下端部４３ａに対する加熱領域６２ａ，６３ａについての説明は、裏面側の開閉操作部４０ｂの上端部４２ｂ及び下端部４３ｂに対する加熱領域にも同様に適用される。
【００７１】
本実施形態の加熱領域６２ａ，６３ａの外形は、いずれも略台形形状を有している。略台形形状を構成する略平行な二辺のうち短辺６２ａ２，６３ａ２は、長辺６２ａ１，６３ａ１よりも、開閉操作部４０ａの中央部４１ａ側に配置されている。
【００７２】
本実施形態では、加熱領域６２ａ，６３ａは、開閉操作部４０ａの中央部４１ａとは反対側の終端縁４７ａ，４８ａの全てを含む（第１条件）。また、加熱領域６２ａ，６３ａの外周縁（本実施形態では略台形の斜辺６２ａ３，６２ａ４；６３ａ３，６３ａ４）と開閉操作部４０ａの幅方向の両側の側端縁４６ａ，４６ｂとの交点Ｐ１２ａ，Ｐ１２ｂ；Ｐ１３ａ，Ｐ１３ｂにおいて、加熱領域６２ａ，６３ａの外周縁（斜辺６２ａ３，６２ａ４；６３ａ３，６３ａ４）は開閉操作部４０ａ，４０ｂの長手方向（本実施形態では中心軸１ａ方向）に対して傾斜している（第２条件）。
【００７３】
本実施形態の加熱領域６２ａ，６３ａは、第１条件及び第２条件を満足するので、実施形態１の加熱領域５２ａ，５２ｂ，５３ａ，５３ｂと同様の効果を奏する。
【００７４】
即ち、加熱領域６２ａ，６３ａが、開閉操作部４０ａの中央部４１ａとは反対側の終端縁４７ａ，４８ａの全てを含む（第１条件）ので、終端縁４７ａ，４８ａは軟質樹脂シート２０ａに密着される。従って、手触り感や見映えが低下することはなく、品位の低下を防止することができる。
【００７５】
また、加熱領域６２ａ，６３ａが開閉操作部４０ａの終端縁４７ａ，４８ａの全てを含む（第１条件）ことにより、開閉操作部４０ａの上端部４２ａ及び下端部４３ａが軟質樹脂シート２０ａにヒートシールされる領域が大きくなる。従って、開閉操作部４０ａの軟質樹脂シート２０ａに対する必要な取り付け強度を容易に確保することができる。
【００７６】
また、交点Ｐ１２ａ，Ｐ１２ｂにおいて加熱領域６２ａ，６３ａの外周縁（即ち斜辺６２ａ３，６２ａ４；６３ａ３，６３ａ４）が開閉操作部４０ａ，４０ｂの長手方向に対して傾斜している（第２条件）。従って、開閉操作部４０ａの中央部４１ａに、中央部４１ａを軟質樹脂シート２０ａから引きはがすような外力が作用しても、大きな応力集中が生じることはなく、軟質樹脂シート２０ａが破れてしまうという事態を防止することができる。
【００７７】
本実施形態２は、上記以外は実施形態１と同じである。
【００７８】
（実施形態３）
本実施形態３は、開閉操作部４０ａ，４０ｂの上端部４２ａ，４２ｂの軟質樹脂シート２０ａ，２０ｂに対する取り付け方法に関して、実施形態１と異なる。以下、実施形態１と異なる点を中心に本実施形態３を説明する。
【００７９】
図１１は本実施形態３に係る医療用軟質容器３の斜視図、図１２Ａはその正面図、図１２Ｂはその右側面図である。
【００８０】
実施形態１では、開閉操作部４０ａ，４０ｂの上端部４２ａ，４２ｂの軟質樹脂シート２０ａ，２０ｂにヒートシールされる面と、開閉操作部４０ａ，４０ｂの下端部４３ａ，４３ｂの軟質樹脂シート２０ａ，２０ｂにヒートシールされる面とは、同じ側の面であった。これに対して、本実施形態では、開閉操作部４０ａ，４０ｂの上端部４２ａ，４２ｂの軟質樹脂シート２０ａ，２０ｂにヒートシールされる面は、開閉操作部４０ａ，４０ｂの下端部４３ａ，４３ｂの軟質樹脂シート２０ａ，２０ｂにヒートシールされる面と反対側の面である。
【００８１】
開閉操作部４０ａ，４０ｂの下端部４３ａ，４３ｂの軟質樹脂シート２０ａ，２０ｂに対するヒートシール方法は実施形態１と同じである（図８Ａ、図８Ｂを参照）。
【００８２】
図１３は本実施形態３において正面側の開閉操作部４０ａの上端部４２ａ及びヒートシールによる加熱領域５２ａを示した拡大図である。
【００８３】
図示を省略するが、裏面側の開閉操作部４０ｂの上端部４２ｂ及びこれに対する加熱領域は、正面側の上端部４２ａ及び加熱領域５２ａと面対称である。従って、以下の開閉操作部４０ａの上端部４２ａに対する加熱領域５２ａについての説明は、裏面側の開閉操作部４０ｂの上端部４２ｂに対する加熱領域にも同様に適用される。
【００８４】
加熱領域５２ａの外形は、図７Ａと同様に、略円弧５２ａ１と、略円弧５２ａ１の両端を繋ぐ線分５２ａ２とを有する。略円弧５２ａ１は、線分５２ａ２よりも、開閉操作部４０ａの中央部４１ａ側に配置されている。開閉操作部４０ａの上端部４２ａは、加熱領域５２ａとの重複領域にて軟質樹脂シート２０ａに固定される。
【００８５】
実施形態１と同様に、本実施形態でも、加熱領域５２ａは、開閉操作部４０ａの中央部４１ａとは反対側の終端縁４７ａの全てを含む（第１条件）。また、加熱領域５２ａの外周縁（本実施形態では略円弧５２ａ１）と開閉操作部４０ａの幅方向の両側の側端縁４６ａ，４６ｂとの交点Ｐ１２ａ，Ｐ１２ｂにおいて、加熱領域５２ａの外周縁（略円弧５２ａ１）は開閉操作部４０ａ，４０ｂの長手方向（本実施形態では中心軸１ａ方向）に対して傾斜している（第２条件）。
【００８６】
以上のように、本実施形態では、軟質樹脂シート２０ａ，２０ｂに対して開閉操作部４０ａ，４０ｂの上端部４２ａ，４２ｂが取り付けられる向き、及び加熱領域５２ａ，５２ｂの向きが、実施形態１と上下逆転している。本実施形態においても、上端部４２ａ，４２ｂに対する加熱領域は第１条件及び第２条件を満足する。従って、本実施形態は、実施形態１と同じ効果を奏する。
【００８７】
なお、本実施形態において、加熱領域が実施形態２で説明した略台形形状を有していてもよい。
【００８８】
本実施形態では、開閉操作部４０ａ，４０ｂの両面が軟質樹脂シート２０ａ，２０ｂにヒートシールされる。従って、開閉操作部４０ａ，４０ｂの両表面は、易ヒートシール性を有する材料（例えばポリプロピレン）で構成されることが好ましい。
【００８９】
本実施形態３は、上記以外は実施形態１，２と同じである。
【００９０】
（実施形態４）
実施形態１〜３では、開閉操作部４０ａ，４０ｂが軟質樹脂シート２０ａ，２０ｂと別個の部材であった（図３参照）のに対して、本実施形態４では、開閉操作部４０ａ，４０ｂが軟質樹脂シート２０ａ，２０ｂにそれぞれ一体的に設けられている。以下、実施形態１と異なる点を中心に本実施形態４を説明する。
【００９１】
図１４は本実施形態４に係る医療用軟質容器４の斜視図、図１５Ａはその正面図、図１５Ｂはその右側面図である。また、図１６は医療用軟質容器４の分解斜視図である。
【００９２】
図１６に示されているように、軟質樹脂シート２０ａ，２０ｂの上端に開閉操作部４０ａ，４０ｂがそれぞれ一体的に形成されている。開閉操作部４０ａ，４０ｂはそれぞれ下方に湾曲されて、その先端が軟質樹脂シート２０ａ，２０ｂの外面にヒートシールにより固定される。開閉操作部４０ａ，４０ｂの軟質樹脂シート２０ａ，２０ｂに固定された先端は、下端部４３ａ，４３ｂ（図１４、図１５Ａ、図１５Ｂを参照）となる。下端部４３ａ，４３ｂのヒートシールによる加熱領域５３ａ，５３ｂは実施形態１（図８Ａ、図８Ｂを参照）と同じである。
【００９３】
本実施形態４では、開閉操作部４０ａ，４０ｂの下端部４３ａ，４３ｂが実施形態１と同じ加熱領域５３ａ，５３ｂによって軟質樹脂シート２０ａ，２０ｂにヒートシールにより固定されている。加熱領域５３ａ，５３ｂは第１条件及び第２条件を満足する。従って、本実施形態は、実施形態１と同じ効果を奏する。
【００９４】
また、本実施形態では、開閉操作部４０ａ，４０ｂの下端部４３ａ，４３ｂとは反対側の端部（上端部）は軟質樹脂シート２０ａ，２０ｂと連続し一体化されている。従って、当該端部の軟質樹脂シート２０ａ，２０ｂに対する接続強度が向上する。また、手触り感や見映えも良好である。また、医療用軟質容器４を構成する部品点数が少なくなり、低コスト化が可能である。
【００９５】
なお、本実施形態において、下端部４３ａ，４３ｂの加熱領域が実施形態２で説明した略台形形状を有していてもよい。
【００９６】
本実施形態の医療用軟質容器４は、実施形態１の医療用軟質容器１が有していた、吊り下げ用穴２７が形成された吊り下げ部２６を有していない。医療用軟質容器４を吊り下げるための吊り下げ用穴は、軟質樹脂シート２０ａ，２０ｂに直接形成してもよい。あるいは、吊り下げ用穴が形成された吊り下げ部を別個の部材として作成し、軟質樹脂シートにヒートシール等の方法で固定してもよい。あるいは、吊り下げ用穴が形成された吊り下げ部を、開閉操作部４０ａ，４０ｂとは別に軟質樹脂シートに一体的に形成してもよい。
【００９７】
本実施形態では、開閉操作部４０ａ，４０ｂの両方が軟質樹脂シート２０ａ，２０ｂにそれぞれ一体的に形成されていたが、本発明はこれに限定されない。例えば、開閉操作部４０ａは本実施形態４と同様に軟質樹脂シート２０ａに一体的に形成し、開閉操作部４０ｂは軟質樹脂シート２０ｂとは別個の部材として作成し、その上端部及び下端部を実施形態１〜３と同様に軟質樹脂シート２０ｂにヒートシールにより固定してもよい。
【００９８】
上記の実施形態１〜４は例示に過ぎない。本発明はこれらの実施形態に限定されず、適宜変更することができる。
【００９９】
例えば、上記の実施形態では、開閉操作部４０ａ，４０ｂの終端縁４７ａ，４７ｂ，４８ａ，４８ｂは、いずれも開閉操作部の長手方向と垂直方向に延びる直線であったが、本発明の終端縁はこれに限定されない。例えば、終端縁が、湾曲又は屈曲等していてもよい。
【０１００】
上記の実施形態では、開閉操作部４０ａ，４０ｂの側端縁４６ａは中心軸１ａに対して傾斜し、側端縁４６ｂは中心軸１ａと略平行であったが、側端縁４６ａ，４６ｂの向きは任意に設定することができる。また、側端縁４６ａ，４６ｂは湾曲、屈曲等していてもよい。
【０１０１】
上記の実施形態では、開閉操作部４０ａ，４０ｂは、上端部４２ａ，４２ｂが広幅で下端部４３ａ，４３ｂが狭幅の略テーパ形状を有していたが、本発明の開閉操作部４０ａ，４０ｂの形状はこれに限定されず、任意の形状を有していてもよい。
【０１０２】
可撓性袋部材２０の形状は、特に制限はなく、長方形、楕円形等の任意の形状であってもよい。但し、可撓性袋部材２０内の液状物等が排出ポート３０から残らず流出するように、収容部２１の下側端が排出ポート３０に向かって緩やかに傾斜していることが好ましい。
【０１０３】
上記の実施形態では、小さな手でも挿入部４５ａ，４５ｂに指を挿入することができるように、可撓性袋部材２０に切り欠き２０ｃを設けたが、切り欠き２０ｃを省略することもできる。あるいは、切り欠き２０ｃを可撓性袋部材２０の左側端ではなく、右側端に形成してもよい。あるいは、右側端及び左側端の両方に形成してもよい。
【０１０４】
目盛り２５は、軟質樹脂シート２０ａではなく、軟質樹脂シート２０ｂに形成してもよい。あるいは、軟質樹脂シート２０ａ及び軟質樹脂シート２０ｂの両方に形成してもよい。あるいは、目盛り２５を省略してもよい。
【０１０５】
上記の実施形態では、目盛り２５は中心軸１ａに沿って設けられていたが、本発明はこれに限定されない。例えば、中心軸１ａと平行な直線に沿って可撓性袋部材２０の幅方向の両側の端縁のうちの一方の近傍に設けられていてもよい。また、目盛り２５を軟質樹脂シート２０ａ及び軟質樹脂シート２０ｂの両方に形成する場合に、両シート２０ａ，２０ｂに形成する目盛り２５の位置は、互いに対向する位置であってもよく、あるいは互いに対向しない位置であってもよい。
【０１０６】
上記の実施形態では、開口部２２を可逆的に開閉可能にするために、開口部２２にジップ２３が設けられていたが、開口部２２を可逆的に開閉可能にする、ジップ２３以外の任意の構造を開口部２２に設けてもよい。あるいは、ジップ２３を省略してもよい。
【０１０７】
開口部２２に、開口部２２を一旦開封した後は、再度閉じることができない不可逆的な構造を設けてもよい。
【０１０８】
上記の実施形態では、可撓性袋部材２０は２枚の軟質樹脂シート２０ａ，２０ｂで構成されていたが、３枚以上の軟質樹脂シートで構成してもよい。例えば、収容部２１の容量を増大させるため、あるいは、開口部２２を大きく開口させるために、軟質樹脂シート２０ａ，２０ｂの間にマチを構成する軟質樹脂シートを介在させてもよい。
【０１０９】
排出ポート３０の形状は、特に限定はない。例えば、輸液セットの上流側端に設けられるコネクタと適合する任意の形状を有していてもよい。排出ポート３０と当該コネクタとの接続を確実にするために、排出ポート３０に、当該コネクタと係合し合う係合構造を設けてもよい。
【産業上の利用可能性】
【０１１０】
本発明の利用分野は、特に制限はなく、液状物を貯蔵する医療用の容器として広範囲に利用することができる。中でも、経腸栄養療法や静脈栄養療法に使用される容器として好ましく利用することができる。
【符号の説明】
【０１１１】
１，３，４  医療用軟質容器
２０  可撓性袋部材
２０ａ，２０ｂ  軟質樹脂シート
２１  収容部
２２  開口部
３０  排出ポート
４０ａ，４０ｂ  開閉操作部
４１ａ，４１ｂ  開閉操作部の中央部
４２ａ，４２ｂ  開閉操作部の上端部
４３ａ，４３ｂ  開閉操作部の下端部
４５ａ，４５ｂ  挿入路
４６ａ，４６ｂ  開閉操作部の側端縁
４７ａ，４７ｂ，４８ａ，４８ｂ  開閉操作部の終端縁
５２ａ，５２ｂ，５３ａ，５３ｂ，６２ａ，６３ａ  加熱領域
５２ａ１，５２ｂ１，５３ａ１，５３ｂ１  加熱領域の略円弧
５２ａ２，５２ｂ２，５３ａ２，５３ｂ２  加熱領域の線分
６２ａ１，６３ａ１  略台形形状の加熱領域の長辺
６２ａ２，６３ａ２  略台形形状の加熱領域の短辺
９０  栄養供給システム
９１  輸液セット
Ｐ１２ａ，Ｐ１２ｂ，Ｐ１３ａ，Ｐ１３ｂ  交点
【図１】
0005516139.tif 000002
【図２Ａ】
0005516139.tif 000003
【図２Ｂ】
0005516139.tif 000004
【図２Ｃ】
0005516139.tif 000005
【図３】
0005516139.tif 000006
【図４】
0005516139.tif 000007
【図５】
0005516139.tif 000008
【図６】
0005516139.tif 000009
【図７】
0005516139.tif 000010
【図８】
0005516139.tif 000011
【図９】
0005516139.tif 000012
【図１０】
0005516139.tif 000013
【図１１】
0005516139.tif 000014
【図１２Ａ】
0005516139.tif 000015
【図１２Ｂ】
0005516139.tif 000016
【図１３】
0005516139.tif 000017
【図１４】
0005516139.tif 000018
【図１５Ａ】
0005516139.tif 000019
【図１５Ｂ】
0005516139.tif 000020
【図１６】
0005516139.tif 000021
【図１７】
0005516139.tif 000022
【図１８】
0005516139.tif 000023
【図１９】
0005516139.tif 000024